(57)【要約】【課題】種々のガンマ特性に対応可能であり、消費電力を抑制しつつ、安定した階調電圧を供給することを可能とするガンマ補正回路を提供する。【解決手段】入力側のガンマ補正抵抗４０１は、入力電圧（ＶＤＤＲ、ＶＳＳ）間に直列に接続される。入力電圧（ＶＤＤＲ、ＶＳＳ）近傍のガンマ補正抵抗は、可変抵抗であり、その他は、固定抵抗である。出力側のガンマ補正抵抗４０３は、入力電圧（ＶＤＤＲ、ＶＳＳ）間に直列に接続される。入力電圧（ＶＤＤＲ、ＶＳＳ）近傍のガンマ補正抵抗４０３は、可変抵抗であり、その他は、固定抵抗である。入力側のガンマ補正抵抗を変更することにより階調電圧の設定を変更する場合であっても、同時に、出力側のガンマ補正抵抗を変更することにより、オペアンプの入力側と出力側の電位が常に等しく保たれ、ガンマ補正抵抗とオペアンプとの間に過電流が流れない。【選択図】  図４
2005010276.tif 000002
【特許請求の範囲】
【請求項１】
入力電圧を分圧して複数の基準階調電圧を発生し、前記基準階調電圧をさらに分圧して複数の階調電圧を出力するガンマ補正回路であって、各ノードにおいて前記基準階調電圧を発生し、少なくとも１の可変抵抗を含む複数の第１抵抗と、
各ノードにおいて前記階調電圧を発生し、少なくとも１の可変抵抗を含む複数の第２抵抗と、
前記第１抵抗側から入力される前記基準階調電圧を前記第２抵抗側に出力する少なくとも１の電圧フォロア回路と、を具備することを特徴とするガンマ補正回路。
【請求項２】
前記第１抵抗は、前記入力電圧の高電位側及び低電位側間に直列接続されることを特徴とする請求項１に記載のガンマ補正回路。
【請求項３】
前記第２抵抗は、前記基準階調電圧間に直列接続されることを特徴とする請求項１に記載のガンマ補正回路。
【請求項４】
同一の基準階調電圧間に設けられる前記第１抵抗及び前記第２抵抗は、共に可変抵抗であり、あるいは、共に固定抵抗であることを特徴とする請求項１に記載のガンマ補正回路。
【請求項５】
同一の基準階調電圧間に設けられる前記第１抵抗及び前記第２抵抗は、共に可変抵抗であり、あるいは、共に固定抵抗であり、
前記可変抵抗は、同一の基準階調電圧間における前記第１抵抗の抵抗値と前記第２抵抗の抵抗値とが等しくなるように制御されることを特徴とする請求項１に記載のガンマ補正回路。
【請求項６】
前記入力電圧近傍の前記第１抵抗及び前記第２抵抗は、可変抵抗であり、他の前記第１抵抗及び前記第２抵抗は、固定抵抗であることを特徴とする請求項１に記載のガンマ補正回路。
【請求項７】
複数の入力電圧のうち分圧用以外の入力電圧を前記基準階調電圧あるいは前記階調電圧とする少なくとも１の短絡回路を有することを特徴とする請求項１に記載のガンマ補正回路。
【請求項８】
前記可変抵抗は、補正信号により制御され抵抗を選択する抵抗選択回路を有することを特徴とする請求項１に記載のガンマ補正回路。
【請求項９】
請求項１から請求項８までのいずれかに記載のガンマ補正回路を具備することを特徴とする液晶駆動回路。
【請求項１０】
請求項１から請求項８までのいずれかに記載のガンマ補正回路を具備することを特徴とする表示装置。
【請求項１１】
表示データをＤ／Ａ変換して電極に駆動電圧を出力する出力回路に対して、全階調に渡って選択用の階調電圧を生成して供給することを特徴とする電源回路。
【請求項１２】
請求項１１に記載の電源回路を具備することを特徴とする液晶駆動回路。
【請求項１３】
請求項１１に記載の電源回路を具備することを特徴とする表示装置。
【発明の詳細な説明】
【０００１】
【発明の属する技術分野】
本発明は、表示装置におけるガンマ補正回路等に関する。より詳細には、表示装置のガンマ特性に応じた階調電圧を発生するガンマ補正回路（γ補正回路）等に関する。
【従来の技術】
近年、液晶表示装置、ＣＲＴディスプレイ等の表示装置の普及に伴い、さらなる表示品位の向上、高精細化、大容量化等の要求がある。
一般に、液晶表示装置、ＣＲＴディスプレイ等の表示装置は、それぞれ固有のガンマ特性を有し、入力（入力電圧、入力信号等）と出力（階調、光透過率、明るさ等）とは、直線的な正比例関係になく、指数関数的な関係にある。そこで、表示装置は、入力と出力とを直線的な正比例関係にするために、入力に対してガンマ補正を施した上で出力を行い、表示データに基づいて画像を忠実に再現する。
【０００２】
液晶表示装置は、パッシブマトリクス型液晶表示装置、アクティブマトリクス型液晶表示装置に大別することができるが、それぞれ異なる階調制御により階調表示を実現している。
【０００３】
パッシブマトリクス型液晶表示装置は、液晶を介して対向配置されるストライプ上の上部電極と下部電極との交点部分を各画素としてマトリクス制御して表示を実現するものである。このため、構造的には単純であるが、隣接画素からの電荷漏れによるクロストークが生じ、高精細、大容量表示には限界がある。
また、パッシブマトリクス型液晶表示装置における階調制御に関しては、その構成から、各画素毎に階調制御を行うことが困難であるため、複数のフレーム期間を１表示期間とし、ＯＮ・ＯＦＦの回数比で多階調を実現するＦＲＣ（Ｆｒａｍｅ  Ｒａｔｅ  Ｃｏｎｔｒｏｌ）、複数表示画素で１表示階調を実現するディザ（面積階調表示）等が採られるが、表示画像の高精細化、多階調化にはそぐわない。
【０００４】
一方、アクティブマトリクス型液晶表示装置は、ＴＦＴ（Ｔｈｉｎ  ＦｉｌｍＴｒａｎｓｉｓｔｏｒ）等のスイッチング素子により、各画素が個別に制御されるため、クロストーク等が生じにくく、高精細化、大容量化に適しているため、現在ではこの方式が主流となっている。
また、アクティブマトリクス型液晶表示装置における階調制御に関しては、各画素単位で個別に電荷制御が可能であるため、画素電極に階調に応じた電圧を印加することにより、多階調表示を実現することができる。
【０００５】
図１２は、液晶表示装置のガンマ特性（液晶の光透過率特性）を示す図である。
図１２に示すガンマ補正曲線１２０１は、ノーマリホワイトのアクティブマトリクス型液晶表示装置に関するものである。
このガンマ補正曲線１２０１において、液晶印加電圧（Ｖｘ）と表示の明るさを示す階調（ｘ）との関係は、非線形である。従って、表示データに基づいて画像を忠実に再現するためには、ガンマ補正を施した上で液晶に印加電圧を供給する必要がある。
【０００６】
例えば、図１２に示すガンマ特性を有するアクティブマトリクス型液晶表示装置は、階調「２」の表示を行う場合、液晶駆動回路（ソースドライバ等）に対して、液晶印加電圧「Ｖ２」を選択して供給し、階調「６１」の表示を行う場合、液晶駆動回路（ソースドライバ等）に対して、液晶印加電圧「Ｖ６１」を選択して供給する。
アクティブマトリクス型液晶表示装置では、ガンマ補正処理を行うためにガンマ補正回路等が設けられる（例えば、［特許文献１］、［特許文献２］参照。）。
【０００７】
図１１を参照しながら、従来のガンマ補正回路について説明する。
図１１は、従来のガンマ補正回路１１００を示す図である。
【０００８】
ガンマ補正回路１１００は、アクティブマトリクス型液晶表示装置（１画素６４階調表示（６ビット）として説明する。）の液晶駆動回路（ソースドライバ等）に設けられ、入力電圧差（｜ＶＤＤＲ−ＶＳＳ｜）から、基準階調電圧ＶＲＥＦ（ＶＲＦ１〜ＶＲＥＦ９）を生成し、基準階調電圧差（｜ＶＲＥＦ１−ＶＲＥＦ２｜等）から、階調電圧Ｖｘ（Ｖ０〜Ｖ６３）を生成する。ガンマ補正回路１１００は、階調電圧発生回路（多値電圧生成回路）として機能する。
アクティブマトリクス型液晶表示装置は、表示データが示す階調に基づいて各画素毎に印加電圧（階調電圧）を選択して印加する。
【０００９】
ガンマ補正回路１１００は、入力電圧間（ＶＤＤＲ〜ＶＳＳ間）に、ガンマ補正抵抗１１０１（ｒＰ１〜ｒＰ８）が直列接続され、同様に、入力電圧間（ＶＤＤＲ〜ＶＳＳ間）に、ガンマ補正抵抗１１０３（ｒＱ１〜ｒＱ６３）が直列接続される。図１１に示すように、ガンマ補正抵抗１１０１（ｒＰ）は、ガンマ補正回路の入力側に設けられ、ガンマ補正抵抗１１０３（ｒＱ）は、ガンマ補正回路の出力側に設けられる。
【００１０】
尚、ガンマ補正抵抗１１０１（ｒＰ１〜ｒＰ８）は、可変抵抗であり、ガンマ補正抵抗１１０３（ｒＱ１〜ｒＱ６３）は、固定抵抗である。可変抵抗であるガンマ補正抵抗１１０１（ｒＰ１〜ｒＰ８）は、補正信号１１０４（Ｐ１〜Ｐ８）により、その抵抗値を調整することができる。
【００１１】
抵抗１１０１（ｒＰ）の各ノード１１１１と対応する抵抗１１０３（ｒＱ）の各ノード１１１３との間には、オペアンプ１１０２が接続される。オペアンプ１１０２は、インピーダンス変換を行う電圧フォロア回路として機能し、画素に階調電圧を印加する際、電流供給による電圧降下を防止する。
【００１２】
ガンマ補正抵抗１１０１（ｒＰ）の初期抵抗値（デフォルト、標準抵抗値）、ガンマ補正抵抗１１０３（ｒＱ）の抵抗値は、アクティブマトリクス型液晶表示装置のガンマ特性に応じて決定される。この場合、各基準階調電圧間の抵抗値は、同一となるように決定され、例えば、基準階調電圧ＲＥＦ１〜ＲＥＦ２間（Ｖ０〜Ｖ２）に関しては、（ｒＰ１の初期抵抗値）＝（ｒＱ１の抵抗値）＋（ｒＱ２の抵抗値）、である。
【００１３】
ガンマ補正回路１１００は、電源回路から入力される入力電圧（ＶＤＤＲ、ＶＳＳ）から、ガンマ補正抵抗１１０１（ｒＰ）の各ノード１１１１に基準階調電圧ＶＲＥＦ（ＶＲＥＦ１〜ＶＲＥＦ９）を生成し、ガンマ補正抵抗１１０３（ｒＱ）の各ノード１１１３に階調電圧Ｖｘ（Ｖ０〜Ｖ６３）を生成する。
【００１４】
次に、図１３を参照しながら、図１１に示すガンマ補正回路を異なる特性を有する液晶表示装置に用いる場合について説明する。
図１３は、液晶表示装置Ａ及び液晶表示装置Ｂのガンマ特性（液晶の光透過率特性）を示す図である。
ガンマ補正曲線１３０１は、液晶表示装置Ａ［デフォルト］のガンマ特性を示し、ガンマ補正曲線１３０２は、液晶表示装置Ｂのガンマ特性を示す。
【００１５】
液晶表示装置Ａのガンマ特性に基づいて構成したガンマ補正回路１１００を液晶表示装置Ｂに用いる場合、液晶表示装置Ａと液晶表示装置Ｂは、それぞれ、異なるガンマ特性を有するので、ガンマ補正回路１１００が出力する階調電圧の設定を変更する必要がある。
【００１６】
そこで、ガンマ補正曲線１３０２に基づいて、補正信号１１０４（Ｐ）により、ガンマ補正回路１１０１のガンマ補正抵抗１１０１（ｒＰ）の抵抗値を変更し、基準階調電圧ＶＲＥＦ（ＶＲＥＦ１〜ＶＲＥＦ９）を変更することにより、階調電圧Ｖｘ（Ｖ０〜Ｖ６３）が変更される。
例えば、ガンマ補正曲線１３０２に基づいて、補正信号Ｐ８によりガンマ補正抵抗ｒＰ８の抵抗値を変更し、基準階調電圧ＶＲＥＦ８がＶ６１ＡからＶ６１Ｂに変更される。
【００１７】
【特許文献１】
特開２００３−２２０６２号公報（図７等）
【特許文献２】
特開２００３−２２０６３号公報（図７等）
【００１８】
【発明が解決しようとする課題】
上述したように、従来のガンマ補正回路は、入力側のガンマ補正抵抗比を変更し、基準階調電圧ＶＲＥＦを変更することにより階調電圧の設定を変更する。この場合、出力側のガンマ補正抵抗比は、固定抵抗であるため変更されない。
従って、入力側のガンマ補正抵抗のノードとこれに対応する出力側のガンマ補正抵抗のノードとの間に電位差が生じ、出力側のガンマ補正抵抗とオペアンプとの間に電流が生じる。すなわち、同一のガンマ補正回路を異なるガンマ特性を有する液晶表示装置に用いる場合、ガンマ特性が異なる分、入力側のガンマ補正抵抗比を変更する必要があり、それに伴いガンマ補正抵抗とオペアンプとの間に電流が生じるという問題点がある。
【００１９】
例えば、図１１において、ガンマ補正回路１１００をデフォルトのガンマ特性を有する液晶表示装置に実装する場合、（ｒＰ１の初期抵抗値）＝（ｒＱ１の抵抗値）＋（ｒＱ２の抵抗値）、であるが、デフォルトと異なるガンマ特性を有する液晶表示装置に実装する場合、ガンマ補正抵抗ｒＰ１を変更して入力側のガンマ補正抵抗比を変更するため、（ｒＰ１の変更後の抵抗値）＜（ｒＱ１の抵抗値）＋（ｒＱ２の抵抗値）、あるいは、（ｒＰ１の変更後の抵抗値）＞（ｒＱ１の抵抗値）＋（ｒＱ２の抵抗値）、となり、ノード１１１１とノード１１１３との間に電位差が生じ、電流１１１２が生じる。
【００２０】
また、入力側のガンマ補正抵抗のノードとこれに対応する出力側のガンマ補正抵抗のノードとの間に電位差が生じ、出力側のガンマ補正抵抗とオペアンプとの間に電流が生じる場合、オペアンプが発振するおそれがあり、安定した階調電圧を供給することができないという問題点がある。
また、過電流が生じることにより、消費電力が増大するという問題点がある。例えば、バッテリにより駆動する液晶表示装置の場合、駆動可能時間（表示可能時間）が短くなるという問題点がある。
【００２１】
近年、液晶表示装置の表示容量が増大するに伴い、液晶駆動用のドライバＩＣにおける消費電流が増加する傾向にある。しかしながら、表示容量が大きくなっても消費電力の増加は許容されず、逆にさらなる低消費電力化が要求される状況である。この低消費電力化の要求は、特に、携帯電話、携帯情報端末等の携帯機器において顕著である。
【００２２】
本発明は、以上の問題点に鑑みてなされたものであり、種々のガンマ特性に対応可能であり、消費電力を抑制しつつ、安定した階調電圧を供給することを可能とするガンマ補正回路を提供することを目的とする。
【００２３】
【課題を解決するための手段】
前述した目的を達成するために第１の発明は、入力電圧を分圧して複数の基準階調電圧を発生し、前記基準階調電圧をさらに分圧して複数の階調電圧を出力するガンマ補正回路であって、各ノードにおいて前記基準階調電圧を発生し、少なくとも１の可変抵抗を含む複数の第１抵抗と、各ノードにおいて前記階調電圧を発生し、少なくとも１の可変抵抗を含む複数の第２抵抗と、前記第１抵抗側から入力される前記基準階調電圧を前記第２抵抗側に出力する少なくとも１の電圧フォロア回路と、を具備することを特徴とするガンマ補正回路である。
【００２４】
ガンマ補正回路は、表示データを駆動電圧に変換して表示装置（各種ディスプレイ装置等）に出力する出力回路に、階調電圧を供給する。
第１抵抗は、入力側のガンマ補正抵抗である。第１抵抗は、入力電圧の高電位側及び低電位側間に直列接続され、入力電圧を分圧してそのノードから基準階調電圧を発生する。
第２抵抗は、出力側のガンマ補正抵抗である。第２抵抗は、基準階調電圧間に直列接続され、基準階調電圧を分圧してそのノードから階調電圧を発生する。
電圧フォロア回路は、オペアンプ等により構成され、インピーダンス変換を行う。電圧フォロア回路は、第１抵抗側から入力された基準階調電圧を第２抵抗側へ出力する。
【００２５】
また、同一の基準階調電圧間に設けられる第１抵抗及び第２抵抗は、共に可変抵抗、あるいは、共に固定抵抗とすることが望ましい。
また、同一の基準階調電圧間における第１抵抗の抵抗値と第２抵抗の抵抗値とが等しくなるように可変抵抗を制御し、固定抵抗を決定することが望ましい。
【００２６】
第１の発明のガンマ補正回路は、異なるガンマ特性を有する表示装置に用いる場合、同一の基準階調電圧間において、第１抵抗の抵抗値と第２抵抗の抵抗値とが等しくなるように可変抵抗を制御する。
【００２７】
第１の発明のガンマ補正回路は、入力側のガンマ補正抵抗比と出力側のガンマ補正抵抗比を同時に変更することにより階調電圧の設定を変更するので、オペアンプの入力側と出力側の電位が常に等しく保たれるので、ガンマ補正抵抗とオペアンプとの間に過電流が流れることもない。
従って、オペアンプの発振を防止し、安定した階調電圧を供給することができる。また、消費電力を抑制することができる。
【００２８】
また、入力電圧近傍（端階調付近）の第１抵抗及び第２抵抗を可変抵抗とし、他の第１抵抗及び第２抵抗を固定抵抗とするようにしてもよい。
【００２９】
中間階調電圧付近のガンマ補正曲線は、端階調電圧付近（入力電圧近傍）と比較して、線形（直線状）であるので、端階調電圧付近（入力電圧近傍）のみを可変抵抗としてもよい。新たなガンマ特性に対応させて非線形部分の階調電圧の設定のみを変更することにより、線形部分の階調電圧の設定も、新たなガンマ特性に沿って変更される。すなわち、ガンマ特性が線形である中間階調付近のガンマ補正抵抗比を敢えて変更する必要はない。この場合、ガンマ補正抵抗の全てを可変抵抗とする場合と比較して、回路構成を単純化することができ、費用的負担、製作に係る労力的負担を軽減することができる。
【００３０】
また、昇圧回路、電圧レギュレータ回路等を有する電源回路において、分圧用の入力電圧と同様に、分圧用以外の入力電圧を生成し、当該分圧用以外の入力電圧を基準階調電圧あるいは階調電圧とする少なくとも１の短絡回路を設けるようにしてもよい。
【００３１】
この場合、電源回路により入力電圧を変更することにより、基準階調電圧、階調電圧の設定を変更することができるので、ガンマ補正回路自体の構成を変更する必要がない。
【００３２】
尚、可変抵抗は、選択用抵抗、抵抗選択回路等により構成するようにしてもよい。抵抗選択回路には、補正信号によりＯＮ・ＯＦＦ制御されるアナログスイッチ等を用いることができる。
【００３３】
第２の発明は、第１の発明のガンマ補正回路を具備することを特徴とする液晶駆動回路である。
第３の発明は、第１の発明のガンマ補正回路を具備することを特徴とする表示装置である。
表示装置は、階調表示を行う各種表示装置であり、液晶表示装置、プラズマディスプレイ装置（ＰＤＰ）、ＥＬディスプレイ（ＥｌｅｃｔｒｏＬｕｍｉｎｅｓｃｅｎｔ  Ｄｉｓｐｌａｙ）、電子ペーパディスプレイ、ＣＲＴディスプレイ等である。
【００３４】
第４の発明は、表示データをＤ／Ａ変換して電極（ソース電極等）に駆動電圧を出力する出力回路に対して、全階調に渡って選択用の階調電圧を生成して供給することを特徴とする電源回路である。
第４の発明では、ガンマ補正回路での分圧を行わず、ガンマ特性に基づいて階調電圧の全てを電源回路側で生成する。
この場合、必ずしも、ガンマ補正回路を設けずともよい。
【００３５】
第５の発明は、第４の発明の電源回路を具備することを特徴とする液晶駆動回路である。
第６の発明は、第４の発明の電源回路を具備することを特徴とする表示装置である。
【００３６】
【発明の実施の形態】
以下、添付図面を参照しながら、本発明に係るガンマ補正回路等の好適な実施形態について詳細に説明する。なお、以下の説明及び添付図面において、略同一の機能構成を有する構成要素については、同一の符号を付することにより重複説明を省略することにする。
【００３７】
最初に、図１を参照しながら、ガンマ補正回路が設けられる表示装置の概略構成を説明する。
図１は、ガンマ補正回路が設けられる表示装置１００の概略構成図である。
【００３８】
表示装置１００は、液晶表示パネル１０１、液晶駆動回路１０２等により構成される。各装置間は、システムバスにより接続される。
また、表示装置１００は、システムバス、各種ケーブル、無線通信等を介して、ＣＰＵ１０８、ＶＲＡＭ１０９（Ｖｉｄｅｏ  ＲＡＭ）等に接続される。
【００３９】
液晶表示パネル１０１は、アクティブマトリクス型のＬＣＤディスプレイであり、格子状に配列された画素（液晶表示素子）に対して、縦方向の電極（ソース電極）、横方向の電極（ゲート電極）が配される。各画素は、ＴＦＴ（ＴｈｉｎＦｉｌｍ  Ｔｒａｎｓｉｓｔｏｒ）等のスイッチング素子を有し、各画素は、個別に制御される。
【００４０】
液晶駆動回路１０２は、液晶表示パネル１０１の画素を駆動し、ビットマップ表示を行うＩＣ、ＬＳＩ等のデバイスである。液晶駆動回路１０２は、電源回路１０３、ソースドライバ１０４、ゲートドライバ１０５、駆動制御回路１０６、表示ＲＡＭ１０７等が組み込まれる。
【００４１】
液晶駆動回路１０２は、ＣＰＵ１０８、ＶＲＡＭ１０９から制御信号、表示データ等を受け取ると、これらの制御信号、表示データに基づいて液晶表示パネル１０１のソース電極、ゲート電極に電圧を供給する。液晶駆動回路１０２は、ゲート電極にスイッチング素子のＯＮ・ＯＦＦ制御用の電圧を印加し、ソース電極に階調表示用の電圧（階調電圧）を印加し、各画素を駆動させる。
電源回路１０３は、昇圧、レギュレート等を行い、ソースドライバ１０４、ゲートドライバ１０５に電圧を供給する。
【００４２】
ソースドライバ１０４は、電源回路１０３から供給される電圧から、ガンマ補正を施した上で階調電圧を生成し、駆動制御回路１０６、ＲＡＭ１０７から送られる制御信号、表示データ等に基づいて、印加する階調電圧を選択して液晶表示パネル１０１のソース電極に供給する。
ゲートドライバ１０５は、駆動制御回路１０６から送られる制御信号等に基づいて、ゲート電圧を液晶表示パネル１０１のゲート電極に供給する。
【００４３】
駆動制御回路１０６は、ソースドライバ１０４、ゲートドライバ１０５等を制御するための制御信号を出力する。
ＲＡＭ１０７は、ＣＰＵ１０８、ＶＲＡＭ１０９から入力された画素毎の表示データを一時的に保持する。
【００４４】
ＣＰＵ１０８、ＶＲＡＭ１０９は、コンピュータ等の機器に設けられる。
尚、表示装置１００は、画像、映像、文字等の表示手段として用いられるが、表示装置１００と、ＣＰＵ１０８、ＶＲＡＭ１０９等を備える機器（情報携帯端末、携帯電話、ノート型コンピュータ、デジタルカメラ等）とを一体として構成してもよい。
【００４５】
また、液晶表示パネル１０１、液晶駆動回路１０２等は、それぞれ独立した構成としてもよいし、１の基板上に設けて一体として構成するようにしてもよい。
【００４６】
次に、図２を参照しながら、電源回路２００（１０３）の概略構成を説明する。
図２は、電源回路２００の概略構成図である。
電源回路２００は、昇圧回路２０１、電圧レギュレータ回路２０２等から構成される。
【００４７】
昇圧回路２０１は、システム電源電圧ＶＤＤを昇圧して昇圧電圧ＶＯＵＴを出力する。
尚、システム電源電圧は、高電位側ＶＤＤ、低電位側ＶＳＳであり、低電位側ＶＳＳは、接地するようにしてもよい。
【００４８】
電圧レギュレータ回路２０２は、昇圧電圧ＶＯＵＴ、ＶＳＳが入力されると、レギュレートを行い、ガンマ補正回路（後述する）のガンマ補正抵抗（後述する）に電圧ＶＤＤＲ、ＶＳＳを供給し、ゲートドライバ１０５にゲート電圧ＶＤＤＨＧ、ＶＥＥを供給する
【００４９】
次に、図３を参照しながら、ソースドライバ１０４の概略構成及び概略動作について説明する。
図３は、ソースドライバ１０４の概略構成及び概略動作を示す図である。
尚、駆動制御回路１０６からＲＡＭ１０７を介してソースドライバ１０４に送られる表示データは、３の画素成分（Ｒ、Ｇ、Ｂ）それぞれについて、６ビットデータを有するものとして説明する。また、液晶表示パネル１０１は、ｎ×３（Ｒ、Ｇ、Ｂ）列の画素、ｎ×３本のソース電極を有するものとして説明する。
【００５０】
ソースドライバ１０４は、ラッチ回路３０１、出力回路３０２（Ｄ／Ａコンバータ）、階調電圧発生回路３０３、ガンマ補正回路３０４等から構成される。
【００５１】
ラッチ回路３０１は、ストローブ信号（ＳＴ）に同期して、ＲＡＭ１０７から表示データを読み込みラッチする。表示データは、出力回路３０２により電圧に変換され、ソース電極３０５（Ｓ１（Ｒ）、Ｓ２（Ｇ）、Ｓ３（Ｂ）、…、Ｓ３ｎ―２（Ｒ）、Ｓ３ｎ―１（Ｇ）、Ｓ３ｎ（Ｂ））に出力される。
【００５２】
階調電圧発生回路３０３は、ガンマ補正回路３０４により、電源回路１０３から入力される入力電圧（ＶＤＤＲ、ＶＳＳ）から６４種類（６ビット）の階調電圧（Ｖ０〜Ｖ６３）を生成し、出力回路３０２に供給する。各階調電圧は、画素が取り得る６４階調（６ビット）のいずれかに対応する。
【００５３】
また、ガンマ補正回路３０４は、階調電圧がデフォルトのガンマ特性に合致するようにガンマ補正抵抗等が配されるが、異なるガンマ特性の場合、階調電圧をその異なるガンマ特性に合致するように、補正信号（Ｐ、Ｑ）によりガンマ補正抵抗の抵抗値、抵抗比を変更する。
【００５４】
出力回路３０２は、ラッチ回路３０１から送られる表示データに基づいて、Ｄ／Ａコンバータ、アナログスイッチ等により、表示データに対応する階調電圧（Ｖ０〜Ｖ６３）を選択し、ソース電極３０５に印加する。
尚、ソース電極へ階調電圧を出力する際、インピーダンス変換を行うようにしてもよい。
【００５５】
次に、図４を参照しながら、本発明の実施の形態に係るガンマ補正回路４００（３０４）の構成及び動作について説明する。
図４は、ガンマ補正回路４００の構成を示す図である。
【００５６】
ガンマ補正回路４００は、入力側に複数のガンマ補正抵抗４０１（ｒＰ１〜ｒＰ８）、出力側に複数のガンマ補正抵抗４０３（ｒＱ１〜ｒＱ６３）、複数のオペアンプ４０２等が接続されて構成される。
【００５７】
ガンマ補正回路４００は、電源回路１０３から入力される入力電圧（ＶＤＤＲ、ＶＳＳ）から、入力側のガンマ補正抵抗４０１（ｒＰ１〜ｒＰ８）の各ノード４１１に基準階調電圧ＶＲＥＦ（ＶＲＥＦ１〜ＶＲＥＦ９）を生成し、さらに、出力側のガンマ補正抵抗４０３（ｒＱ１〜ｒＱ６３）の各ノード４１３に階調電圧Ｖｘ（Ｖ０〜Ｖ６３）を生成するものとして説明する。
【００５８】
入力側のガンマ補正抵抗４０１は、２の入力電圧（ＶＤＤＲ、ＶＳＳ）間に直列に接続される。
入力電圧（ＶＤＤＲ、ＶＳＳ）近傍のガンマ補正抵抗４０１は、補正信号４０４（Ｐ）で抵抗値を制御可能な可変抵抗であり、その他のガンマ補正抵抗４０１は、固定抵抗である。
図４では、ガンマ補正抵抗ｒＰ１、ｒＰ８は、それぞれ、補正信号Ｐ１、Ｐ８により抵抗値を制御可能な可変抵抗であり、ガンマ補正抵抗ｒＰ２〜ｒＰ７は、固定抵抗である。
【００５９】
出力側のガンマ補正抵抗４０３は、２の入力電圧（ＶＤＤＲ、ＶＳＳ）間に直列に接続される。
入力電圧（ＶＤＤＲ、ＶＳＳ）近傍のガンマ補正抵抗４０３は、補正信号４０５（Ｑ）で抵抗値を制御可能な可変抵抗であり、その他のガンマ補正抵抗４０３は、固定抵抗である。
出力側のガンマ補正抵抗４０３の各ノードは、階調電圧（Ｖ０〜Ｖ６３）を出力する。
【００６０】
図４では、ガンマ補正抵抗ｒＱ１、ｒＱ２、ｒＱ６２、ｒＱ６３は、それぞれ、補正信号Ｑ１、Ｑ２、Ｑ６２、Ｑ６３により抵抗値を制御可能な可変抵抗であり、ガンマ補正抵抗ｒＱ３〜ｒＱ６１は、固定抵抗である。
【００６１】
尚、同一の基準階調電圧間に設けられるガンマ補正抵抗４０１及びガンマ補正抵抗４０３は、共に可変抵抗であり、あるいは、共に固定抵抗であるようにすることが望ましい。
【００６２】
オペアンプ４０２は、ガンマ補正抵抗４０１のノード４１１とガンマ補正抵抗４０３のノード４１３との間に接続され、基準階調電圧（ＶＲＥＦ）を入力側のガンマ補正抵抗４０１から出力側のガンマ補正抵抗４０３へ出力する。オペアンプ４０２は、インピーダンス変換を行う電圧フォロア回路であり、画素に階調電圧を印加する際、電流供給による電圧降下を防止する。
【００６３】
液晶に駆動電圧を印加する時間は、当該液晶の画素行の選択期間（データスタートパルス（ＤＳＰ）間隔）に限られる。従って、２の入力電圧を当該入力電圧間に直列接続した抵抗の抵抗比のみにより分圧する場合、入力電圧から遠い中間部分の電圧のノードまで、電流、電圧を供給するまでに時間を要し、所定の階調電圧を液晶に印加する時間を確保することが困難となる。
そこで、入力側に、入力電圧を分圧して基準階調電圧を生成するためのガンマ補正抵抗が設けられ、出力側に、基準階調電圧を分圧するガンマ補正抵抗が設けられる。
【００６４】
可変抵抗の初期抵抗値（デフォルト、標準抵抗値）、固定抵抗の抵抗値は、液晶表示装置のガンマ特性に応じて決定される。この場合、各基準階調電圧間の抵抗値は、同一となるように決定され、例えば、基準階調電圧間（ＲＥＦ１〜ＲＥＦ２、Ｖ０〜Ｖ２）に関しては、（ｒＰ１の初期抵抗値）＝（ｒＱ１の抵抗値）＋（ｒＱ２の抵抗値）、である。
【００６５】
次に、図４に示すガンマ補正回路４００を異なるガンマ特性を有する液晶表示装置に用いる場合について説明する。
【００６６】
デフォルトの液晶表示装置のガンマ特性に基づいて構成したガンマ補正回路４００を異なるガンマ特性を有する他の液晶表示装置に用いる場合、ガンマ補正回路４００が出力する階調電圧の設定を変更する必要がある。
【００６７】
そこで、補正信号Ｐ１、Ｐ８により、入力側のガンマ補正抵抗４０１のうち、可変抵抗ｒＰ１、ｒＰ８の抵抗値を調整して入力側のガンマ補正抵抗比を変更し、基準階調電圧ＶＲＥＦ（ＶＲＥＦ１〜ＶＲＥＦ９）を変更することにより、階調電圧Ｖｘ（Ｖ０〜Ｖ６３）が変更される。
さらに、補正信号Ｑ１、Ｑ２、Ｑ６２、Ｑ６３により、出力側のガンマ補正抵抗４０３のうち、可変抵抗ｒＱ１、ｒＱ２、ｒＱ６２、ｒＱ６３の抵抗値を変更し、同一基準階調電圧間において同一抵抗値とする。
【００６８】
この場合、例えば、基準階調電圧ＶＲＥＦ１〜ＶＲＥＦ２間において、ガンマ補正回路４００をデフォルトのガンマ特性を有する液晶表示装置に実装する場合、（ｒＰ１の初期抵抗値）＝（ｒＱ１の初期抵抗値）＋（ｒＱ２の初期抵抗値）、であるが、デフォルトと異なるガンマ特性を有する液晶表示装置に実装する場合であっても、ガンマ補正抵抗ｒＰ１、ガンマ補正抵抗ｒＱ１、ｒＱ２を調整し、（ｒＰ１＋ΔｒＰ１）＝（ｒＱ１＋ΔｒＱ１）＋（ｒＱ２＋ΔｒＱ２）、（「Δ」は変化量を示す。）、とするので、ノード４１１とノード４１３との間に電位差が生じない。従って、ガンマ補正抵抗とオペアンプ４０２との間に過電流が流れることもない。
【００６９】
このように、入力側のガンマ補正抵抗を変更することにより階調電圧の設定を変更する場合であっても、同時に、出力側のガンマ補正抵抗を変更することにより、オペアンプの入力側と出力側の電位が常に等しく保たれるので、ガンマ補正抵抗とオペアンプとの間に過電流が流れることもない。
従って、オペアンプの発振を防止し、安定した階調電圧を供給することができる。また、低消費電力化を図ることができる。
【００７０】
尚、図１２等に示す液晶表示装置のガンマ特性を参照すると、中間階調付近では、端階調付近と比較して、液晶印加電圧（階調電圧）の変化が小さく、その分基準階調電圧から階調電圧を出力するノードに電流、電圧を供給するまでの時間が短い。
【００７１】
従って、中間階調付近では、端階調付近（入力電圧ＶＤＤＲ、ＶＳＳ近傍、階調電圧Ｖ０、Ｖ６３近傍）と比較して、多くのガンマ補正抵抗（出力側）を基準階調電圧間に設けるようにしてもよい。
例えば、端階調付近の基準階調電圧ＶＲＥＦ１〜ＶＲＥＦ２間から３段階の階調電圧を生成し、中間階調付近の基準階調電圧ＶＲＥＦ５〜ＶＲＥＦ６間から６段階の階調電圧を生成するようにしてもよい。
【００７２】
また、図１２等に示す液晶表示装置のガンマ特性を参照すると、中間階調付近のガンマ補正曲線は、端階調付近（入力電圧ＶＤＤＲ、ＶＳＳ近傍、階調電圧Ｖ０、Ｖ６３近傍）と比較して、線形（直線状）であるので、端階調部分のみを可変抵抗としてもよい。新たなガンマ特性に対応させて非線形部分の端階調付近の階調電圧の設定のみを変更することにより、線形部分の中間調付近の階調電圧の設定も、新たなガンマ特性に沿って変更される。すなわち、ガンマ特性が線形である中間階調付近のガンマ補正抵抗比を敢えて変更する必要はない。この場合、ガンマ補正抵抗の全てを可変抵抗とする場合と比較して、回路構成を単純化することができ、費用的負担、製作に係る労力的負担を軽減することができる。
【００７３】
次に、図５を参照しながら、ガンマ補正回路に用いる可変抵抗について説明する。
図５は、可変抵抗５００（４０１、４０３）の一態様を示す図である。
尚、ガンマ補正回路におけるガンマ補正抵抗としての可変抵抗は、種々のものを用いることができ、図５に示す可変抵抗５００に限られない。
【００７４】
可変抵抗５００は、選択用の抵抗５０１（ｒ１〜ｒ３）、抵抗選択回路５０２等により構成される。
抵抗選択回路５０２は、補正信号５０４（Ｐ、Ｑ）により制御可能なアナログスイッチ５０３（ＡＳＷ１〜ＡＳＷ３）を有する。
【００７５】
図５では、抵抗選択回路５０２は、３のアナログスイッチ５０３を有し、これらのアナログスイッチ５０３は、３ビットの補正信号５０４によりＯＮ・ＯＦＦ制御される。アナログスイッチＡＳＷが「ＯＮ」の場合、当該配線は短絡され、「ＯＦＦ」の場合、選択用抵抗が選択される。
例えば、アナログスイッチＡＳＷ１「ＯＦＦ」、ＡＳＷ２「ＯＮ」、ＡＳＷ３「ＯＦＦ」の場合、ＡＢ間では、抵抗ｒ１及び抵抗ｒ３が選択される。
【００７６】
次に、図６、図７〜図１０を参照しながら、本発明の他の実施の形態に係るガンマ補正回路について説明する。
【００７７】
図６は、本発明の他の実施の形態に係る電源回路６００（１０３）の概略構成図である。
【００７８】
電源回路６００は、図２について先述したものと同様の構成であるが、電圧レギュレータ回路６０２は、昇圧回路６０１から昇圧電圧ＶＯＵＴ、ＶＳＳが入力されると、レギュレートを行い、ガンマ補正回路のガンマ補正抵抗に複数種類のの電圧ＶＤＤＲ１、ＶＤＤＲ２、…、複数種類の電圧ＶＳＳ１、ＶＳＳ２、…を供給し、ゲートドライバ１０５にゲート電圧ＶＤＤＨＧ、ＶＥＥを供給する。
【００７９】
図７〜図１０は、本発明の他の実施の形態に係るガンマ補正回路７００、８００、９００、１０００（３０４）の概略構成図である。
【００８０】
図４において先述したガンマ補正回路４００には、２の入力電圧（高電位側ＶＤＤＲ、低電位側ＶＳＳ）が入力されたが、図７〜図１０に示すガンマ補正回路７００、８００、９００、１０００には、図６に示す電源回路６００により、さらに多くの入力電圧（高電位側ＶＤＤＲ１、ＶＤＤＲ２、…、低電位側ＶＳＳ１、ＶＳＳ２、…）が入力される。
【００８１】
ガンマ補正回路７００、８００、９００、１０００は、電源回路１０３から入力される入力電圧（ＶＤＤＲ１、ＶＤＤＲ２、…、ＶＳＳ１、ＶＳＳ２、…）から基準階調電圧ＶＲＥＦ（ＶＲＥＦ１〜ＶＲＥＦ１６）を生成し、さらに、この基準階調電圧から階調電圧Ｖｘ（Ｖ０〜Ｖ６３）を生成するものとして説明する。
【００８２】
図７、図８に示すガンマ補正回路７００、８００には、４の入力電圧（高電位側ＶＤＤＲ１、ＶＤＤＲ２、低電位側ＶＳＳ１、ＶＳＳ２）が入力される。
図９、図１０に示すガンマ補正回路９００、１０００には、６の入力電圧（高電位側ＶＤＤＲ１、ＶＤＤＲ２、ＶＤＤＲ３、低電位側ＶＳＳ１、ＶＳＳ２、ＶＳＳ３）が入力される。
【００８３】
ガンマ補正回路７００は、入力電圧ＶＤＤＲ２〜ＶＳＳ２間において、入力側ガンマ補正抵抗ｒＰ２〜ｒＰ１４が直列に接続され、入力電圧ＶＤＤＲ１〜ＶＳＳ１間において、出力側ガンマ補正抵抗ｒＱ１〜ｒＱ６３が直列に接続される。
また、ガンマ補正回路７００は、入力電圧以外の基準階調電圧ＶＲＥＦ３〜ＶＲＥＦ１４を入力側のガンマ補正抵抗から出力側のガンマ補正抵抗に出力するオペアンプが接続される。
【００８４】
尚、ガンマ補正回路７００は、入力電圧ＶＤＤＲ１〜ＶＤＤＲ２間及び入力電圧ＶＳＳ１〜ＶＳＳ２間において、入力側ガンマ補正抵抗は接続されない。
すなわち、ガンマ補正回路７００は、複数の入力電圧のうち分圧用以外の入力電圧を基準階調電圧とする短絡回路が設けられる。
また、各基準階調電圧間の抵抗値は、同一となるように決定され、例えば、基準階調電圧間（ＲＥＦ２〜ＲＥＦ３、Ｖ２〜Ｖ４）に関しては、（ｒＰ２の抵抗値）＝（ｒＱ３の抵抗値）＋（ｒＱ４の抵抗値）、である。
【００８５】
このガンマ補正回路７００において階調電圧の設定を変更する場合、電源回路６００により入力電圧ＶＤＤ２、ＶＳＳ２を変更する。この場合、ガンマ補正回路７００自体の構成を何ら変更することなく、基準階調電圧、階調電圧の設定を変更することができる。
【００８６】
尚、中間階調付近のガンマ特性は、端階調付近と比較して、線形（直線状）である。従って、入力電圧ＶＤＤ２、ＶＳＳ２を変更すると、端階調付近の階調電圧（Ｖ１、Ｖ２、Ｖ６１、Ｖ６２等）は、新たなガンマ特性に応じて変更されるが、同時に、中間調付近の階調電圧の設定も、新たなガンマ特性に沿って変更される。すなわち、ガンマ特性が線形である中間階調付近のガンマ補正抵抗比を敢えて変更する必要はない。
【００８７】
また、図８に示すガンマ補正回路８００のように、ガンマ補正抵抗の全部あるいは一部を可変抵抗としてもよい。
例えば、入力側ガンマ補正抵抗ｒＰ２、ｒＰ１４、出力側ガンマ補正抵抗ｒＱ１〜ｒＱ４、ｒＱ６０〜ｒＱ６３等を可変抵抗とし、他のガンマ補正抵抗を固定抵抗としてもよい。
【００８８】
尚、同一の基準階調電圧間に設けられる入力側ガンマ補正抵抗（ｒＰ）及びガンマ補正抵抗（ｒＱ）は、共に可変抵抗であり、あるいは、共に固定抵抗であるようにすることが望ましい。また、端階調付近のガンマ補正抵抗を優先的に可変抵抗とすることが望ましい。
このように、端階調付近のガンマ補正抵抗を可変抵抗とした場合、新たなガンマ特性に沿ってより正確に、階調電圧の設定変更を行うことができる。
【００８９】
また、図９に示すガンマ補正回路９００のように、同一の基準階調電圧間に関して、入力側及び出力側共にガンマ補正抵抗を接続しないようにしてもよい。すなわち、複数の入力電圧のうち分圧用以外の入力電圧を階調電圧とする短絡回路を設けるようにしてもよい。
例えば、基準階調電圧ＶＲＥＦ１〜ＶＲＥＦ２間、ＶＲＥＦ２〜ＶＲＥＦ３間、ＶＲＥＦ１４〜ＶＲＥＦ１５間、ＶＲＥＦ１５〜ＶＲＥＦ１６間には、入力側及び出力側共にガンマ補正抵抗を接続しないようにしてもよい。
【００９０】
この場合、ガンマ補正回路におけるガンマ補正抵抗の数を減らすことができるので、回路構成を単純化することができ、費用的負担、製作に係る負担を軽減することができる。また、消費電力を抑制することができる。
【００９１】
また、図１０に示すガンマ補正回路１０００のように、ガンマ補正抵抗の全部あるいは一部を可変抵抗としてもよい。
例えば、入力側ガンマ補正抵抗ｒＰ３、ｒＰ１３、出力側ガンマ補正抵抗ｒＱ３、ｒＱ４、ｒＱ６０、ｒＱ６１等を可変抵抗とし、他のガンマ補正抵抗を固定抵抗としてもよい。
【００９２】
尚、同一の基準階調電圧間に設けられる入力側ガンマ補正抵抗（ｒＰ）及びガンマ補正抵抗（ｒＱ）は、共に可変抵抗であり、あるいは、共に固定抵抗であるようにすることが望ましい。また、端階調付近のガンマ補正抵抗を優先的に可変抵抗とすることが望ましい。
このように、端階調付近のガンマ補正抵抗を可変抵抗とした場合、新たなガンマ特性に沿ってより正確に、階調電圧の設定変更を行うことができる。
【００９３】
尚、本発明のガンマ補正回路等に関しては、上述の実施形態に限定されず、種々の変形実施が可能である。
【００９４】
上記の実施の形態では、ガンマ補正回路は、６４階調（６ビット）の階調電圧を調整するものとして説明したが、これに限定されず、他の階調数（ビット数）にも対応可能である。
また、ガンマ補正回路は、同一基板上にソースドライバと一体として構成してもよいし、ソースドライバと異なる基板上に独立して構成するようにしてもよい。
【００９５】
また、上記の実施の形態では、ガンマ補正回路が設けられる表示装置として液晶表示装置を取り上げたが、これに限定されない。本発明に係るガンマ補正回路を他の表示装置、例えば、プラズマディスプレイ装置（ＰＤＰ）、ＥＬディスプレイ（ＥｌｅｃｔｒｏＬｕｍｉｎｅｓｃｅｎｔ  Ｄｉｓｐｌａｙ）、電子ペーパディスプレイ等に用いることができる。
【００９６】
また、交流化のための極性反転に対応させるようにしてもよい。例えば、図１４に示すように、６４階調（６ビット）の場合、６４レベル×２組の階調電圧を生成するようにしてもよい。
【００９７】
図１４は、２組の階調電圧を出力するガンマ補正回路１４００の一態様を示す図である。
ガンマ補正回路１４００は、ガンマ補正回路１４０１、ガンマ補正回路１４０２を有する。
【００９８】
ガンマ補正回路１４０１は、入力電圧（ＶＤＤＲ、ＶＳＳ）からＶ０ａ〜Ｖ６３ａの階調電圧を出力し、ガンマ補正回路１４０２は、入力電圧（ＶＤＤＲ、ＶＳＳ）からＶ０ｂ〜Ｖ６３ｂの階調電圧を出力する。すなわち、ガンマ補正回路１４００は、６４レベル×２組の階調電圧（Ｖ０ａ〜Ｖ６３ａ、Ｖ０ｂ〜Ｖ６３ｂ）を出力する。
尚、ガンマ補正回路１４０１、ガンマ補正回路１４０２には、先述のガンマ補正回路４００、７００、８００、９００、１０００等を用いることができる。
【００９９】
また、ガンマ補正回路での分圧を行わず、図１５に示すように、階調電圧の全てを電源回路側で生成するようにしてもよい。
図１５は、階調電圧の全てを生成する電源回路１５００の一態様を示す図である。
電源回路１５００は、昇圧回路により生成した昇圧電圧を電圧レギュレータ回路によりレギュレートし、ガンマ特性に応じて全ての階調電圧を生成する。例えば、ソースドライバ１０４の出力回路３０２（Ｄ／Ａコンバータ）が６４階調（６ビット）の階調電圧を必要とする場合、電源回路１５００は、全６４階調に渡って階調電圧を生成してソースドライバの出力回路に供給する。
この場合、ガンマ補正回路を設ける必要がない。
【０１００】
以上、添付図面を参照しながら、本発明にかかるガンマ補正回路等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【０１０１】
【発明の効果】
以上、詳細に説明したように本発明によれば、種々のガンマ特性に対応可能であり、消費電力を抑制しつつ、安定した階調電圧を供給することを可能とするガンマ補正回路を提供することができる。
【図面の簡単な説明】
【図１】ガンマ補正回路が設けられる表示装置１００の概略構成図
【図２】電源回路２００の概略構成図
【図３】ソースドライバ１０４の概略構成及び概略動作を示す図
【図４】本発明の実施の形態に係るガンマ補正回路４００の構成を示す図
【図５】可変抵抗５００の一態様を示す図
【図６】他の実施の形態に係る電源回路６００の概略構成図
【図７】他の実施の形態に係るガンマ補正回路７００の概略構成図
【図８】他の実施の形態に係るガンマ補正回路８００の概略構成図
【図９】他の実施の形態に係るガンマ補正回路９００の概略構成図
【図１０】他の実施の形態に係るガンマ補正回路１０００の概略構成図
【図１１】従来のガンマ補正回路１１００を示す図
【図１２】液晶表示装置のガンマ特性（液晶の光透過率特性）を示す図
【図１３】液晶表示装置Ａ及び液晶表示装置Ｂのガンマ特性（液晶の光透過率特性）を示す図
【図１４】２組の階調電圧を出力するガンマ補正回路１４００の一態様を示す図
【図１５】階調電圧の全てを生成する電源回路１５００の一態様を示す図
【符号の説明】
１００………表示装置
１０１………液晶表示パネル
１０２………液晶駆動回路
１０３………電源回路
１０４………ソースドライバ
１０５………ゲートドライバ
１０６………駆動制御回路
１０７………ＲＡＭ
１０８………ＣＰＵ
１０９………ＶＲＡＭ
２００、６００………電源回路
２０１、６０１………昇圧回路
２０２、６０２………電圧レギュレータ回路
３０１………ラッチ回路
３０２………出力回路（Ｄ／Ａコンバータ）
３０３………階調電圧発生回路
３０４………ガンマ補正回路
３０５………ソース電極
４００、７００、８００、９００、１０００………ガンマ補正回路
４０１………ガンマ補正抵抗（入力側：ｒＰ）
４０２………オペアンプ
４０３………ガンマ補正抵抗（出力側：ｒＱ）
４０４………補正信号（入力側：Ｐ）
４０５………補正信号（出力側：Ｑ）
４１１………ノード（入力側）
４１３………ノード（出力側）
５００………可変抵抗
５０１………選択用抵抗
５０２………抵抗選択回路
５０３………アナログスイッチ
５０４………補正信号（Ｐ、Ｑ）
【図１】
2005010276.tif 000003
【図２】
2005010276.tif 000004
【図３】
2005010276.tif 000005
【図４】
2005010276.tif 000006
【図５】
2005010276.tif 000007
【図６】
2005010276.tif 000008
【図７】
2005010276.tif 000009
【図８】
2005010276.tif 000010
【図９】
2005010276.tif 000011
【図１０】
2005010276.tif 000012
【図１１】
2005010276.tif 000013
【図１２】
2005010276.tif 000014
【図１３】
2005010276.tif 000015
【図１４】
2005010276.tif 000016
【図１５】
2005010276.tif 000017